(57)【特許請求の範囲】
【請求項１】
装置本体と、該装置本体に回動可能に支持されて開閉する扉とを備えた自動取引装置であって、
前記装置本体に設けられて上下方向に閂を挿入許容する本体側閂受けと、前記扉に設けられて上下方向に前記閂を挿入許容する扉側閂受けとが上下に配設されて構成される左右両側の各閂受けと、
前記各閂受けに対し、それぞれ上下方向へ挿入及び抜き出し可能なそれぞれの閂とを備え、
前記左右の一側における前記閂受けと前記閂により、該閂受けに該閂が挿入されると開閉ロック状態となり、該閂が抜き出されると開閉ロック解除状態となるロック構造を構成し、
前記左右の他側における前記閂受けと前記閂により、該閂受けに該閂が挿入された状態で前記扉を回動可能に支持するヒンジ構造とを構成し、
一側と他側で上下動する両側の閂に両端部を連結するロックリンクと、
前記ロックリンクの中間部を回動支点に前記ロックリンクを回動させるハンドルとを備え、
前記ロックリンクの両端部は、前記閂を着脱自在に形成した
自動取引装置。
【請求項２】
前記閂受けは、
前記本体側閂受けと前記扉側閂受けのうち、前記閂の挿入側に最も近い閂受けの孔径を小さくし、それ以外の閂受けの孔径をこれより大きくした
請求項１記載の自動取引装置。
【請求項３】
前記閂受けは、
前記本体側閂受けと前記扉側閂受けのうち、
少なくとも一側を上下に間隔を隔てて２以上備え、
該一側の隔てられた間隔の間に他側を配置する構成である
請求項２に記載の自動取引装置。
【請求項４】
前記閂の外周面に近接して該閂の横振れを抑制する閂横振れ抑制部材を、前記ヒンジ構造側で上下に対向する本体側閂受けと扉側閂受けの対向面間に介在させて構成した
請求項１、２または３に記載の自動取引装置。
【請求項５】
装置本体と、該装置本体に回動可能に支持されて開閉する扉とを備えた自動取引装置であって、
前記装置本体に設けられて上下方向に閂を挿入許容する本体側閂受けと、前記扉に設けられて上下方向に前記閂を挿入許容する扉側閂受けとが上下に配設されて構成される左右両側の各閂受けと、
前記各閂受けに対し、それぞれ上下方向へ挿入及び抜き出し可能なそれぞれの閂とを備え、
前記左右の一側における前記閂受けと前記閂により、該閂受けに該閂が挿入されると開閉ロック状態となり、該閂が抜き出されると開閉ロック解除状態となるロック構造を構成し、
前記左右の他側における前記閂受けと前記閂により、該閂受けに該閂が挿入された状態で前記扉を回動可能に支持するヒンジ構造とを構成し、
前記閂受けは、
前記本体側閂受けと前記扉側閂受けのうち、前記閂の挿入側に最も近い閂受けの孔径を小さくし、それ以外の閂受けの孔径をこれより大きくした
自動取引装置。
【請求項６】
前記閂受けは、
前記本体側閂受けと前記扉側閂受けのうち、
少なくとも一側を上下に間隔を隔てて２以上備え、
該一側の隔てられた間隔の間に他側を配置する構成である
請求項５に記載の自動取引装置。
【請求項７】
前記閂の外周面に近接して該閂の横振れを抑制する閂横振れ抑制部材を、前記ヒンジ構造側で上下に対向する本体側閂受けと扉側閂受けの対向面間に介在させて構成した
請求項５または６に記載の自動取引装置。
【請求項８】
装置本体と、該装置本体に回動可能に支持されて開閉する扉とを備えた自動取引装置であって、
前記装置本体に設けられて上下方向に閂を挿入許容する本体側閂受けと、前記扉に設けられて上下方向に前記閂を挿入許容する扉側閂受けとが上下に配設されて構成される左右両側の各閂受けと、
前記各閂受けに対し、それぞれ上下方向へ挿入及び抜き出し可能なそれぞれの閂とを備え、
前記左右の一側における前記閂受けと前記閂により、該閂受けに該閂が挿入されると開閉ロック状態となり、該閂が抜き出されると開閉ロック解除状態となるロック構造を構成し、
前記左右の他側における前記閂受けと前記閂により、該閂受けに該閂が挿入された状態で前記扉を回動可能に支持するヒンジ構造とを構成し、
前記閂の外周面に近接して該閂の横振れを抑制する閂横振れ抑制部材を、前記ヒンジ構造側で上下に対向する本体側閂受けと扉側閂受けの対向面間に介在させて構成した
自動取引装置。
【請求項９】
前記ヒンジ構造側の閂の上方に、該閂が上方移動するのを規制する閂離脱防止手段を備えた
請求項１〜８の何れか１項に記載の自動取引装置。
【発明の詳細な説明】
【技術分野】
【０００１】
この発明は、例えば金融機関で取引利用される現金自動預払機のような自動取引装置に関し、さらに詳しくは扉の開閉方向を容易に変更できる扉構造を備えた自動取引装置に関する。
【背景技術】
【０００２】
一般に、現金自動預払機や両替機等の現金を扱う自動取引装置には、装置内部に格納されている紙幣ユニットや硬貨ユニットを保守する目的で、装置前面もしくは装置後面に両開き扉や片開き扉が設けられている。
【０００３】
この種の扉の開閉構造は、一方が開閉支点として片持ち支持されるヒンジ構造に形成され、他方が装置本体と扉との間をロック・ロック解除するロック構造に形成されている（例えば特許文献１参照）。
【先行技術文献】
【特許文献】
【０００４】
【特許文献１】特開２００６−１５２７２８号公報
【発明の概要】
【発明が解決しようとする課題】
【０００５】
このため、例えば片開き扉の場合、右側がヒンジ構造であれば右側にのみ開閉可能な片開き式の扉となり、左側がヒンジ構造であれば左側にのみ開閉可能な片開き式の扉となる。
【０００６】
特に、自動取引装置に適用された場合は現金を格納するため高防護性能が要求され、外部から大きな外力を受けても容易に破壊されないように扉の板厚を厚く構成し、閂も大きく強化して現金の保管性を高めた構造に製作している。
【０００７】
さらに、自動取引装置を設置する場合、金融機関、店舗、パーキングエリア、各種施設等の設置場所によって様々な環境が存在するが、扉を開閉操作する方向に障害物が対向しないように自動取引装置の設置方向を考慮して設置場所を決定しなければならないという制限を受けていた。
【０００８】
このため、自動取引装置の扉の開閉方向を切替可能にして変更すれば、該自動取引装置の設置方向の制限を回避することが考えられる。
【０００９】
しかし、この扉の開閉方向を変えるには、扉自体が強化された構造であるため、扉の重量が重く、さらに扉を支持しているヒンジ構造や閂構造を一旦取り外して組み替えを行う必要がある。このため、扉の開閉方向を変えるには多くの作業労力や作業時間を費やしてしまう問題を有していた。
【００１０】
そこでこの発明は、重量のある強化された扉であっても、その扉を装置本体から取り外すことなく、一人の作業で扉の開閉方向を容易に変更できる自動取引装置を提供することを目的とする。
【課題を解決するための手段】
【００１１】
この発明は、装置本体と、該装置本体に回動可能に支持されて開閉する扉とを備えた自動取引装置であって、前記装置本体に設けられて上下方向に閂を挿入許容する本体側閂受けと、前記扉に設けられて上下方向に前記閂を挿入許容する扉側閂受けとが上下に配設されて構成される左右両側の各閂受けと、前記各閂受けに対し、それぞれ上下方向へ挿入及び抜き出し可能なそれぞれの閂とを備え、前記左右の一側における前記閂受けと前記閂により、該閂受けに該閂が挿入されると開閉ロック状態となり、該閂が抜き出されると開閉ロック解除状態となるロック構造を構成し、前記左右の他側における前記閂受けと前記閂により、該閂受けに該閂が挿入された状態で前記扉を回動可能に支持するヒンジ構造とを構成し、一側と他側で上下動する両側の閂に両端部を連結するロックリンクと、前記ロックリンクの中間部を回動支点に前記ロックリンクを回動させるハンドルとを備え、前記ロックリンクの両端部は、前記閂を着脱自在に形成したことを特徴とする。
【発明の効果】
【００１２】
この発明によれば、重量のある強化された扉であっても、その扉を装置本体から取り外すことなく、一人の作業で扉の開閉方向を容易に変更できる自動取引装置を提供することができる。
【図面の簡単な説明】
【００１３】
【図１】実施例１における自動取引装置の後ろ扉の構造を示す概略斜視図。
【図２】実施例１における自動取引装置の扉開閉方向確定前の扉構造を示す概略斜視図。
【図３】実施例１における扉開閉方向確定前のロック構造を示す要部縦断面図。
【図４】実施例１における自動取引装置の後ろ扉を左開きに確定した後の扉構造を示す概略斜視図。
【図５】実施例１におけるロックリンクと閂リンクの連結構造を示す要部斜視図。
【図６】実施例１におけるヒンジ側の閂横揺れ抑制部材の取付状態を示す要部斜視図。
【図７】実施例１におけるヒンジ側の閂横揺れ抑制部材の取付状態を示す要部平面図。
【図８】実施例１における扉開閉方向確定後のヒンジ側の構造を示す要部縦断面図。
【図９】実施例１における自動取引装置の後ろ扉を右開きに確定した後の扉構造を示す概略斜視図。
【図１０】実施例１における自動取引装置の閂のストッパ構造を示す斜視図。
【図１１】実施例２における自動取引装置の後ろ扉を左開きに確定した後の扉構造を示す外観斜視図。
【図１２】実施例２における扉開閉方向確定後のヒンジ側の構造を示す要部縦断面図。
【図１３】実施例２における扉開閉方向確定後のロック側の構造を示す要部縦断面図。
【図１４】実施例２における自動取引装置の後ろ扉を一旦右開きにした状態を示す外観斜視図。
【発明を実施するための形態】
【００１４】
この発明の実施例を以下図面に基づいて説明する。
【実施例１】
【００１５】
図面は左開きと右開きに切替可能な扉の構造を示し、図１は自動取引装置１の後面側に備えられる後ろ扉（以下、扉と称す）２を示している。自動取引装置１は例えば、銀行、郵便局等の各種の金融機関の店舗に設置されるＡＴＭ（現金自動預払機）、ＣＤ（現金自動支払機）、両替機等が適用される。
【００１６】
この自動取引装置１は、段付き箱形状に形成されている装置本体３の内部に紙幣を入出金処理する紙幣ユニットや硬貨を入出金処理する硬貨ユニットなどの各種の機器を格納している。これらの格納された機器を係員が保守点検する目的で装置本体３の後面に扉２が設けられている。
【００１７】
ここに用いられる扉２は、装置本体３の後面に開口されている縦長の後面開口部３ａを開閉する１枚の平板により構成される。この扉２は左右の何れかが装置本体３に片持ち支持されて左開き、もしくは右開きに変更可能な切替構造を有している。
【００１８】
この扉２の切替構造としては、扉２の後面両側をヒンジ構造１３とロック構造１４とに切替可能な共用構造となるように左右対称に構成している。この左右対称の共用構造とすることにより扉開閉方向１５の切替操作の容易化が図れるようにしている。
【００１９】
例えば、左側を扉２の開閉支点となるヒンジ構造１３に設定した場合は、左側の共用構造をヒンジ構造１３に用いて扉開閉方向１５が左側にのみ開閉可能な左開き扉（図４参照）となり、その右側の共用構造がロック・ロック解除操作側となるロック構造１４に用いられる。これに対し、右側をヒンジ構造１３に設定した場合は、右側の共用構造をヒンジ構造１３に用いて扉開閉方向１５が右側にのみ開閉可能な右開き扉（図５参照）となり、その左側の共用構造がロック・ロック解除操作側となるロック構造１４に用いられる。
【００２０】
次に、扉２のヒンジ構造１３とロック構造１４の切り替えについて具体的に説明する。  
まず、図２の右側に示されるこのロック構造１４は、閂４と、扉側閂受け５ａ，５ｂと、本体側閂受け６と、閂リンク７と、ロックリンク８と、ハンドル９とから構成される。
【００２１】
前記本体側閂受け６は筒状を有し、この筒内に後述する閂４を上下方向に挿入許容して閂４をロックするものであり、装置本体３の後方に突出して設けられる。また、この本体側閂受け６を装置本体３の後面右側における上ロック部Ｌ１と下ロック部Ｌ２との上下２か所に分けて配設している。さらに、本体側閂受け６は後述する扉側閂受け５ａ，５ｂと上下方向の同心軸上で対向して配設される。
【００２２】
上述の扉側閂受け５ａ，５ｂは後述する閂４を上下方向に挿入許容する筒状を有し、該扉側閂受け５ａ，５ｂが扉２の右側に略同形状を有して上下一対に配設される。これらの扉側閂受け５ａ，５ｂの上下方向の中間部に上述の本体側閂受け６を介在させる構成としている。したがって、上側の扉側閂受け５ａと下側の扉側閂受け５ｂは、間に本体側閂受け６が入る空間を隔てて上下に対向させている。そして、前記本体側閂受け６と上下に対向する扉側閂受け５ａ，５ｂと後述する閂４とで構成するロック部分を、扉２の右側における上ロック部Ｌ１と下ロック部Ｌ２との上下２か所に備えている。
【００２３】
また、扉側閂受け５ａ，５ｂは本体側閂受け６と上下方向の同心軸上で対応する位置に配設される。このため、扉２を閉じた時は、上下一対の扉側閂受け５ａ，５ｂが本体側閂受け６を上下より挟んだ状態となり、上ロック部Ｌ１と下ロック部Ｌ２とでそれぞれ上下方向の同心軸上に３個並んで対向する。
【００２４】
したがって、２個の扉側閂受け５ａ，５ｂの間に１個の本体側閂受け６を介在させた状態に交互に対向させ、これらの３個が連続する閂受け５ａ，６，５ｂの各受け孔ａ，ｂ，ｂ（図３参照）に上下方向に移動する閂４を挿入させてロックする縦閂構造を有している。縦閂構造のロック部分として、ここでは３個の閂受け５ａ，６，５ｂを交互に配置する例を示したが、３個以上配置して構成してもよい。
【００２５】
閂４は、例えば円柱等の長尺軸で構成され、上下方向の同心軸上で対向する各閂受け５ａ，６，５ｂに対し、それぞれ上下方向へ挿入及び抜き出し可能に設けられている。この閂４は連続する３個の閂受け５ａ，６，５ｂに挿入される長さを有している。
【００２６】
さらに、該閂４は上下２本の閂４が後述する１本の共通する閂リンク７に連結されて同心軸上の上下位置に設けられ、これらの２本の閂４が上ロック部Ｌ１と下ロック部Ｌ２とでそれぞれ挿入及び抜き出し可能に設けられている。
【００２７】
そして、上下一対の扉側閂受け５ａ，５ｂと前記本体側閂受け６と閂４とを組み合わせて構成されるロック部分を、上ロック部Ｌ１と下ロック部Ｌ２とに有して扉２が装置本体３の上下２か所でロックされるように構成している。さらに、上下のロック部Ｌ１，Ｌ２では、扉２を閉じた状態で、これらの上下に並ぶ３個の閂受け５ａ，６，５ｂに１本の長い閂４を上下方向に摺動させるようにしている。
【００２８】
また、共通する１本の閂４を３個の閂受け５ａ，６，５ｂに通して軸支するため、閂４は上下方向の３点で確実に支持される。また、上ロック部Ｌ１と下ロック部Ｌ２に同様なロック構造を上下に分けて構成しているため、扉２は上ロック部Ｌ１と下ロック部Ｌ２との上下のロック構造１４により安定してロックされる。
【００２９】
さらに、本体側閂受け６と対向する扉２の右側縁部の位置には、扉２と本体側閂受け６との当接を回避する凹状の当接回避空間２ａを切欠き形成している。これにより、上下の扉側閂受け５ａの間に本体側閂受け６が入り込める。
【００３０】
上述の閂リンク７は、図２及び図５にも示すように上下方向に長いコ形状を有し、そのコ形状の上側水平片の端部に、閂４の上端部を固定して該閂４を垂設している。また、コ形状の下側水平片の端部に、閂４の上端部を固定して該閂４を垂設している。これにより、閂リンク７は上下２本の閂４を連結して一体化構成している。このため、該閂リンク７の移動方向１６となる上下動に各閂４が同時に上下動する。
【００３１】
また、閂リンク７は上側の閂４が上ロック部Ｌ１で挿脱し、下側の閂４が下ロック部Ｌ２で挿脱する。このため、該閂リンク７は上下の閂４が同じタイミングで挿脱する間隔に設定している。また、上下のロック部Ｌ１，Ｌ２においても上下の閂４が同心軸上になるように設定している。
【００３２】
ロックリンク８は、図２に示すように扉２の左右で上下動する左右の閂リンク７に連結する左右方向に長いリンクアームである。このロックリンク８は一端部と他端部を扉２の両側に平行する垂直な姿勢の閂リンク７にそれぞれ着脱自在に連結している。さらに、このロックリンク８は、左右方向に長い中間部を枢支軸８ａにより扉２の壁面中央に軸支されている。該枢支軸８ａを回動支点にロックリンク８は、扉２の外壁面に沿うロックリンク移動方向１７に自由に回動される。
【００３３】
ハンドル９は、扉２の中央付近にレバー状を有して配置され、該レバー状の上端側をロックリンク８の中間部に固定してＴ字形に取り付け、その下端側を把持部に設けている。そして、このハンドル９の把持部を係員が掴んで扉２の外壁面に沿う左回転方向または右回転方向の何れかのハンドル回動操作方向１８に該ハンドル９を回すことにより、ハンドル９と一体化して固定されているロックリンク８が中間部の枢支軸８ａを回動支点に回動する。これにより、ロックリンク８の両側端部は一側が上動し、他側が下動する。
【００３４】
ロックリンク８の回動量は、閂リンク７を介して上下動する閂４がロック位置とロック解除位置とに移動する上下方向の移動長さに応じて決められる。具体的には、ロックリンク８の左回動に伴い右側の閂リンク７が最も上動したとき、右側の上下ロック部Ｌ１，Ｌ２の各閂４が最も上動する。
【００３５】
このとき、閂４の上動量は一番上の扉側閂受け５ａから完全には抜けない状態まで移動するものとし、該一番上の扉側閂受け５ａ以外の下側の閂受け６，５ｂからは全て抜けた状態まで上方向に移動するように設定している。この設定方法として、例えばハンドル９の回動量を規制することで実現できる。これにより、該ハンドル９の回動と連動して、ロックリンク８、閂リンク７、閂４の移動量が規制される。そして、閂４の下端が本体側閂受け６より上方に抜け出た時点で、閂４は本体側閂受け６と外れ、扉２はロック解除される（図４参照）。
【００３６】
逆に、ハンドル９を逆方向に回してロックリンク８を逆向きに回動させると、ロックリンク８は中間部の枢支軸８ａを回動支点に右側が下動し、左側が上動する（図４に破断線で示す）。このロックリンク８の回動に伴い右側の閂リンク７が最も下動したとき、上下ロック部Ｌ１，Ｌ２の各閂４が最も下動する。このとき、閂４は上下方向に連続する３個の閂受け５ａ，６，５ｂにそれぞれ挿入してロックされる。なお、ハンドル９は通常、図示しない鍵で回動操作が規制されている。
【００３７】
前記ハンドル９を操作して閂４を最も上動させたとき、該閂４は下端が上側の扉側閂受け５ａ内に留まり、該扉側閂受け５ａより抜け出ない位置に設定されている。これにより、閂４は最も上動しても上側の扉側閂受け５ａに挿入支持された状態にある。このため、ハンドル９の回動操作によって閂４が扉２から外れることはない。
【００３８】
逆に、閂４を最も下動させたとき、該閂４が上下方向に並ぶ３個の閂受け５ａ，６，５ｂにそれぞれ挿入し、該閂４の下端が下側の扉側閂受け５ｂ内に納まる位置に設定している。この場合は、閂４の挿入部分が各閂受け５ａ，６，５ｂで隠れ、ロックしている挿入部分の露出部分を極力少なくしている。
【００３９】
このように、左右の何れか一側における各閂受け５ａ，６，５ｂに閂４を上下方向に挿脱させる縦閂構造を有している。これにより、該閂受け５ａ，６，５ｂに該閂４が挿入されると扉２は開閉ロック状態となり、閂４が抜き出されると扉２は開閉ロック解除状態となるロック構造１４を有している。
【００４０】
さらに、図３に示すように、上下方向に３個並ぶ閂受け５ａ，６，５ｂのうち、上側の扉側閂受け５の受け孔ａの内径を小さくし、それ以外の下側の２個の閂受け６，５ｂの受け孔ｂ，ｂの内径をこれより若干大きくして構成している。つまり、閂４を下側の閂受け６，５ｂに挿入し易くする遊びを持たせた挿入構造にしている。
【００４１】
このため、閂４が下動し始めると、その下側では閂受け６，５ｂの受け孔ｂ，ｂの軸心が若干ずれていても挿入許容し、連続する３個の閂受け５ａ，６，５ｂの受け孔ａ，ｂ，ｂ内への挿入許容性を高めることができる。これにより、扉２を開閉ロック解除状態から開閉ロック状態にし易くなる。
【００４２】
この閂挿入時の遊びの大きさは、上側の受け孔ａの内周面と閂４の外周面との対向隙間を０．５ｍｍ程度と比較的小さく設定し、下側の受け孔ｂ，ｂの内周面と閂４の外周面との対向隙間を２ｍｍ程度と大きく設定する。前記対向隙間を０．５ｍｍ程度と比較的小さくするのは、上側の扉側閂受け５ａに挿入された状態を保っている閂４の方向安定性を高めて閂４の上下方向以外への移動を極力規制するためである。
【００４３】
次に、ヒンジ構造１３について説明する。  
このヒンジ構造１３は、図４に示すように、前記ロック構造１４と略同構造を有し、既述した扉２の左側に左右対称に備えられる。該ヒンジ構造１３も右側の上下ロック部Ｌ１，Ｌ２と同高さ位置となる左側に、上ヒンジ部Ｈ１と下ヒンジ部Ｈ２とに分けて構成される。
【００４４】
例えば、上ヒンジ部Ｈ１では上下一対の扉側閂受け５ａ，５ｂと、本体側閂受け６と、上下に閂４を備えた閂リンク７とを備えて構成される。前記ロック構造１４と比較して異なる点は、閂リンク７とロックリンク８との間を離間して設けた点と、安定保持部材としてのスペーサ１０を加えた点が異なる。よって、前記ロック構造１４と同一の構成部材は同一符号を付して表わし、異なる構成について説明する。
【００４５】
前記閂リンク７とロックリンク８との離間構成について、該閂リンク７とロックリンク８との着脱部分は、図５に示すように閂リンク７の上下方向の中間高さ位置に横長の長孔７ａを開口して設けている。また、ロックリンク８の端部には円形のビス挿通孔８ａを開口して設けている。
【００４６】
そして、これらの長孔７ａとビス挿通孔８ａを重ね合わせた共通する開口部分に、両側より雄ねじ側の連結ビス１２ａと、これと対応する雌ねじ側の連結ビス１２ｂを通し、これら一対の連結ビス１２ａ，１２ｂの結合で閂リンク７とロックリンク８との重ね合わせ部分を締め付けるように螺着接続して連結する構成を有している。
【００４７】
前記閂リンク７とロックリンク８とを連結した状態では、ロックリンク８を回動させると、該ロックリンク８の端部が上下動し、この上下動に連動して閂リンク７が上下動するが、このときのロックリンク８の回動を可能にするため閂リンク７にはスライド支持用に横長に開口した長孔７ａを設け、該ロックリンク８が連結ビス１２ａ，１２ｂを介して横方向に若干スライドできるようにしている。
【００４８】
したがって、これら一対の連結ビス１２ａ，１２ｂの螺着部分を緩めてヒンジ構造１３側における閂リンク７とロックリンク８の連結を外せば、閂リンク７とロックリンク８とは離間して開放されるという着脱構成を有している。
【００４９】
そして、これらの閂リンク７とロックリンク８との連結部分を外すと、閂リンク７は自由状態となる。このとき、閂リンク７及び閂４は自重で各閂受け５ａ，６，５ｂに受け止められた状態に納まり、閂４が上下移動しなくなる。この結果、閂４は各閂受け５ａ，６，５ｂに挿入したままで扉２を開閉可能に回動させるヒンジ構造１３が得られる。
【００５０】
前記スペーサ１０は、ヒンジ構造１３での安定保持部材として図６に示すように側面視コ形状を有して構成される。このスペーサ１０のコ形の上側水平片である上スペーサ片１０ａと、下側水平片である下スペーサ片１０ａは同形状を有して上下に平行して形成される。
【００５１】
これら上下のスペーサ片１０ａは、本体側閂受け６の上下を挟んで位置するように該本体側閂受け６の高さ寸法より僅かに長い上下間隔をとって設けている。また、スペーサ片１０ａは、本体側閂受け６とその上側で対向する扉側閂受け５ａとの間の上対向面間２０と、本体側閂受け６とその下側で対向する扉側閂受け５ｂとの間の下対向面間２１とに介在可能な厚さに形成している。これにより、スペーサ１０を水平方向より挿入させて取り付けた後は、上下のスペーサ片１０ａの介在によって各閂受け５ａ，６，５ｂの上下方向のガタつきを抑制できるようにしている。
【００５２】
さらに、上下のスペーサ片１０ａの先端側には、閂４の外周面に沿って近接する円弧面対応部１０ｂを形成しており、スペーサ１０を組み込んだときに円弧面対応部１０ｂが閂４の横振れ抑制部材としてガイドする役目を有している。また、これらのスペーサ片１０ａの先端側と閂４の外周面との近接間隔は、例えば０．２ｍｍ程度の間隔に設定して、閂４が不安定にガタつくのを抑制している。
【００５３】
また、スペーサ１０にはコ形の垂直片中央部にビス挿通孔１０ｃを開口している。このビス挿通孔１０ｃにスペーサ連結用のビス１０ｄを通して本体側閂受け６の接合孔６ａに螺着することにより、スペーサ１０が本体側閂受け６の側方より固定して取り付けられる。
【００５４】
さらに、スペーサ１０は、閂４が各閂受け５ａ，６，５ｂに入った後からでも取り付けることができるように、図７に示すように、２個一組として構成している。この場合、閂４の軸心を中心として、例えば右方向と手前方向（図示下方向）との２方向から挿入して介在させる。また、これらの対称形状の２個のスペーサ１０で閂４を挟み込んだとき、２つのスペーサ１０の対向面が接触しないように一部切り欠いた非接触傾斜対向面１０ｅを形成している。
【００５５】
したがって、ヒンジ構造１３側に、図８に示すように、スペーサ１０を組み込むと、縦閂構造となるヒンジ構造１３側で上下方向の閂受け５ａ，６，５ｂ間の隙間を略なくして、扉２の上下方向のガタつきを抑制することができる。さらに、ヒンジ構造１３側での閂４の外周囲にスペーサ１０を近接させてガイドするため、閂４が不安定にぐらつくような横振れが抑制されて、扉２の左右方向のガタつきが規制される。
【００５６】
次に、自動取引装置１の扉開閉方向の確定手順について説明する。  
この自動取引装置１の扉２の開閉方向を確定する前は、図２に示すようにロックリンク８の両端部が両側の閂リンク７にそれぞれ連結された状態にある。この状態でロックリンク８を回動させると、該ロックリンク８の両端部では相反する方向に上下動する。このため、左右両側の閂リンク７とともに上下動する閂４が本体側閂受け６に必ず支持される。このため、ロックリンク８を動かしても扉２は常に装置本体３に支持された状態を保つため扉２は装置本体３から落下するおそれがない。
【００５７】
このような状態の自動取引装置１を現地の利用すべき設置場所に設置した後、扉の開閉方向を設定する。例えば、左開きに確定する場合は、まず、図４に示すように扉２の左側の上下ヒンジ部Ｈ１，Ｈ２となる扉側閂受け５ａ，５ｂと本体側閂受け６とが対向する上下の対向面間にスペーサ１０を介在させて取り付ける。これにより、ヒンジ構造１３側では閂４の左右方向のガタつきと閂受け５ａ，６，５ｂの上下方向のガタつきとが抑制される。
【００５８】
さらに、図５にも示すように扉２の左側における閂リンク７とロックリンク８との間を連結している連結ビス１２ａ，１２ｂを外して両者を切り離し、図４に示すように閂リンク７を自由状態にする。これにより、閂リンク７は自重で下がり、該閂リンク７と一体の閂４は上下移動しなくなる。このため、扉２の左側はヒンジ構造１３を作成して扉２の左開きを可能にする片持ち支持を構築する。
【００５９】
一方、扉２の右側は、図４に示すようにハンドル９を左回動させてロックリンク８の右端部を上動させると、このロックリンク８の動きに連動して右側の閂リンク７に固定された閂４がロック解除位置まで上動し、扉２の開操作を許容する。
【００６０】
このとき、閂４の下端は本体側閂受け６よりも上方に抜け出るが、上側の扉側閂受け５ａからは抜け出ない。このため、閂４は下部が上側の扉側閂受け５ａの小径の受け孔ａに挿入したままであり、この受け孔ａにより閂４の下部が上下方向に精度よくガイドされた支持状態に保たれる。したがって、次に閂４が下動するときに安定して下動させることができる。
【００６１】
一方、この左開き扉をロックする場合は、扉２を閉じた状態でハンドル９を右回動させてロックリンク８の右端部を下動させると、このロックリンク８の動きに連動して右側の閂リンク７に固定された閂４がロック位置で下動して閂４が閂受け５ａ，６，５ｂに連続して挿入した縦閂構造となるロック状態となる。これにより、扉２は装置本体３に強固に固定されて後面開口部３ａの閉鎖状態を維持する。
【００６２】
以上のように、扉２の左側のヒンジ構造１３側にスペーサ１０を追加し、さらに左側の閂リンク７とロックリンク８との連結部間を外すだけで、左開き扉を構成することができる。
【００６３】
左開き扉に確定後は、ロック構造１４側の閂ロック７とロックリンク８との間だけを連結したままにすることで、指定した左開き側のみ開閉可能な左開き扉として使用することができる。
【００６４】
次に、左開き扉から右開き扉に切替える場合は、図９に示すように前述のスペーサ１０の左右の付け替え操作と、閂リンク７とロックリンク８との左右の着脱操作とを、前述とは左右反対方向に実施するだけで扉２の開閉方向を切り替えることができる。
【００６５】
具体的には、まず扉２を閉じ、左側で離間して自由状態となっていた閂リンク７とロックリンク８との間を連結ビス１２ａ，１２ｂにより連結する。その後、右側で連結していた閂リンク７とロックリンク８との連結部分の連結ビス１２ａ，１２ｂを緩めて離間させる。これにより、右側で自由状態となった閂４が自重で下がり、各閂受け５ａ，６，５ｂに支持される。
【００６６】
また、左側に取り付けていたスペーサ１０を取り外して、右側のヒンジ構造１３となる位置に付け替えると、扉２の右側にヒンジ構造１３を作成することができる。
【００６７】
また、扉２の左側はロックリンク８に連動して閂４が上動したときロック解除されるロック解除位置と下動したときロックするロック位置とに操作自在なロック構造１４を作成できる。これにより、扉２の開閉方向を左開き扉から右開き扉に切り替えることができる。
【００６８】
また、再度、右開き扉から左開き扉に切り替える場合も、上述の切替操作を左右反対方向に実施するだけで切り替えることができる。
【００６９】
このように、左右両側に構成されるロック構造１４とヒンジ構造１３を同一部材で構成し、左右に配設される構成部材を同一の共用部材で構成し、その左右両側の中間部で回動可能なロックリンク８に着脱させることで、左右対称の共用部材を有効に利用して効率よく扉の開閉方向を切り替えることができる。ことに、扉２を外すことなくロック構造１４とヒンジ構造１３の役割を入れ替えて左開き扉と右開き扉とに任意に切り替えることができる。また、扉２は左右両側が同構造であるため構成部材の種類が少なくなり、製作が容易で、しかもシンプルに構成できる。
【００７０】
さらに、この扉２の開閉方向を切り替える際、両側の閂４をロックリンク８が連結した状態で同時に動かしても、一側が上動したときは他側が下動する。このため、必ず片側の閂４が本体側閂受け６に挿入して受け止められた状態となり、閂４は完全に抜けることがない。このため、扉２の重量を作業者が支える必要がなくなり、一人作業でも扉２の開閉方向を安全にしかも容易に切り替えることができる。
【００７１】
以上より、扉２を左開きにするか右開きにするかの扉開閉方向１５を容易に変更することができる。
【００７２】
図１０は閂離脱防止手段としての閂ストッパ１１を付設して扉２の安定性を高めた構成を示している。  
この閂ストッパ１１はＬ形状を有し、ヒンジ構造１３における閂４が上方移動するのを規制するように閂４の上方に対向する扉２の外壁面に固定している。例えば、左開き扉の開閉方向に確定した後に、左側のヒンジ構造１３側の下ヒンジ部Ｈ２の閂４の上方に、閂ストッパ１１を取り付けて閂４が上方移動するのを規制するようにしている。
【００７３】
この際、閂４と閂リンク７とは一体化しているため何れかを上動規制すればよく、図１０においては閂リンク７の下側折曲部の上方側に閂ストッパ１１を対向させ、該閂ストッパ１１で閂リンク７を上動規制する例を示している。
【００７４】
これにより、ヒンジ構造１３側で閂４が完全に抜けないようにし、作業員がヒンジ構造１３側の閂４を誤って外してしまうのを防止したり、外部から何らかの負荷がかかっても閂４が抜けないような安定性を配慮した構造にすることができる。
【００７５】
さらに、閂ストッパ１１は、前述のスペーサ１０と一体化して構成することもできる。この場合は、スペーサ１０による閂４のガタつき防止と、閂ストッパ１１による閂４の抜け止め防止とを同時に実現できる。また、この際は部品の種類を少なくして構成できるため、さらに低コスト化が図れる。
【実施例２】
【００７６】
この実施例２は図１１及び図１２に示すようにスペーサ１９を載せ置き型にして取り付ける例を示したものである。  
このスペーサ１９は、本体側閂受け６より小径のリング状の部品であり、本体側閂受け６と、その下側で同径の扉側閂受け５ｂの上面にそれぞれ若干沈み込ませた段付き環状凹部２２を形成し、これらの段付き環状凹部２２にリング状のスペーサ１９それぞれ載せ置き型に取り付けたものである。
【００７７】
この場合、上側に配置されるスペーサ１９は、本体側閂受け６と、その上側で対向する上側の閂受け５ａとの間の上対向面間２０に介在可能な高さに設けて上下の閂受け５ａ，６間のガタつきを抑制する。さらに、閂４を挿入ガイドするスペーサ１９の内周面が閂４の外周面に近接する寸法の内径に設定して、閂４の横振れによるガタつきを抑制するように設けている。そして、スペーサ１９は、段付き環状凹部２２の段差によってスペーサ１９の底面及び外周面が安定して保持される。
【００７８】
同じく、下側のスペーサ１９は、本体側閂受け６と、その下側で対向する下側の閂受け５ｂとの間の下対向面間２１に介在可能な高さに設けて上下の閂受け６，５ｂ間のガタつきを抑制する。さらに、閂４を挿入ガイドするスペーサ１９の内周面が閂４の外周面に近接する寸法の内径に設定して、閂４の横振れによるガタつきを抑制するように設けている。そして、スペーサ１９は、段付き環状凹部２２の段差によってスペーサ１９の底面及び外周面が支持されて安定して保持される。
【００７９】
また、スペーサ１９は、内径が閂４の外径より０．２ｍｍ程度と僅かに大きく、スペーサ１９の外径は段付き環状凹部２２の内径より０．２ｍｍ程度と僅かに小さくしている。
【００８０】
これにより、ヒンジ構造１３側に、図１２に示すように上下２個のスペーサ１９を組み込むと、上下方向の３個の閂受け５ａ，６，５ｂ間の不安定な接触をなくして、扉２の上下方向のガタつきを抑制することができる。また、これらのスペーサ１９と閂４とが近接しているため閂４が不安定にぐらつくような横振れを抑制して扉２の左右方向のガタつきを規制することができる。また、スペーサ１９は内周上面の角部を面取りして閂４が通り易いようにしている。
【００８１】
一方、ロック構造１４側では、図１３に示すようにスペーサ１９が取り除かれて、上下方向に３個並ぶ閂受け５ａ，６，５ｂと閂４との組み合わせで構成されている。そして、この状態から段付き環状凹部２２にスペーサ１９を取り付ければ、ヒンジ構造１３（図１２参照）に切り替えることができる。
【００８２】
ここに用いられるスペーサ１９は、下側の閂受け６，５ｂの外径より小さく、またこれらの内側に組み込まれるため外部に突出したり、露出したりせず、効率よく組み込むことができる。このため、スペーサ１９はシンプルで取付後の美観を損なわず、また実施例１で示すようなスペーサ連結用のビス１０ｄやその接合孔６ａへの螺着接続も不要となる。
【００８３】
さらに、閂リンク７が安定して上下動するように閂リンク７の上下動をガイドするガイド部材を新たに扉２の外面に付設してもよい。
【００８４】
このようなスペーサ１９を用いた場合の扉開閉方向１５の確定手順を次に説明する。  
図１１に示すように扉２を左開き扉に設定する場合、スペーサ１９の組み込みを考慮して一旦、扉２の開閉方向を右開き状態にしてから左開き状態に設定する手順をとっている。
【００８５】
まず、ロックリンク８の両側に各閂リンク７を連結した状態でロックリンク８の右側４を下げ、図１４に示すように、その下げた右側をヒンジ構造１３にして扉２を右開きに開く。その状態で左側の本体側閂受け６及び扉側閂受け５ｂの段付き環状凹部２２にそれぞれスペーサ１９を上から載せ置くようにセットする。
【００８６】
その後、再び扉２を閉めて左側の閂４を下げることにより扉２の左側がヒンジ構造１３となる。この状態でハンドル９を回し、扉２を左開き方向に開き、左側の閂リンク７とロックリンク８との連結を外せば、図１１に示すように左側がヒンジ構造１３、右側がロック構造１４となる左開き扉を構成することができる。
【００８７】
この場合も、ヒンジ構造１３側にスペーサ１９を組み込むと、ヒンジ構造１３側での上下方向の３個の閂受け５ａ，６，５ｂ間の不安定な接触をなくして、扉２の上下方向のガタつきを抑制することができる。また、閂４の外周囲をスペーサ１９が近接してガイドするため、閂４が不安定にぐらつくような横振れを抑制して扉２を安定して開閉操作することができる。
【００８８】
また、図１２及び図１３に示すように一番下の閂受け５ｂの形状を、その筒状の底面を閉鎖した底付き筒体とした場合は、ここに挿入された閂４の下部が下方から見えず、また閂４の下部を下方から持ち上げるような外力を与えることができない。このため、該下側の扉側閂受け５ｂが前記した閂ストッパ１１の役割を持ち、扉２の下方からヒンジ側の閂４を抜きとるような負荷を加えることができず、閂４の上方抜けを防止することができる。
【００８９】
上述のように、左右両側のうち、どちらか一側の閂を選択的にロックリンクと連結する構成とすることで、扉の開閉方向を容易に変更できる自動取引装置である。ことに、扉開閉方向を切り替える際は、閂を上下に動かすロックリンクを、ロック構造側とヒンジ構造側との両側で連結し、同時に動かしても閂が完全に抜けることがなく、扉を外さずに扉の開閉方向を切り替えることができる共用構造にしている。このため、扉の重量を作業者が支える必要がなくなり、一人でも扉の開閉方向を容易に切り替えることができる。
【００９０】
さらに、同一部材を左右対称に設ける構成であるため、部材種類が少なくて済み、部品管理の容易化及び低コスト化が図れる。
【００９１】
また、ロック構造とヒンジ構造とが同一部材であることから部材の組み替えをせずにロック構造とヒンジ構造の役割を入れ替えることが可能となる。したがって、防護性能の高い重量のある扉の取り外し作業が省略できるため安全であり、作業労力の低減が図れる。また、閂と閂受けのガタつきを抑制するスペーサを組み込む構造にすることで、扉のガタつきを抑止した円滑で安全な扉の開閉操作が得られる。
【００９２】
この発明は、上述の一実施例に記載された構成に限定されるものではなく、請求項に記載された技術思想に基づいて応用することができる。  
例えば、上述の実施例では、自動取引装置１の後ろ扉に適用した例を示したが、前扉にも適用できる。さらに、ヒンジ構造１３にスペーサ１０，１９を備えた構成を示したが、スペーサ１０，１９のないヒンジ構造であってもよい。また、扉２の外面にハンドル９のみを露出させ、その他のロックリンク８とその動きに連動する閂リンク７や閂４を、扉２の外面に露出させないように扉２の内面側に構成することもできる。この場合は、防犯性や美観をさらに高めることができる。さらに、現金を扱う自動取引装置１を例にとって説明したが、カード、金券等の他の有価媒体を扱う自動取引装置にも適用することができる。
【産業上の利用可能性】
【００９３】
現金等の有価媒体を収納する自動取引機の全般に適用することができる。
【符号の説明】
【００９４】
１…自動取引装置
２…扉
３…装置本体
４…閂
５ａ，５ｂ…扉側閂受け
６…本体側閂受け
８…ロックリンク
９…ハンドル
１１…閂ストッパ
１３…ヒンジ構造
１４…ロック構造
１０，１９…スペーサ
【図１】
0005417203.tif 000002
【図２】
0005417203.tif 000003
【図３】
0005417203.tif 000004
【図４】
0005417203.tif 000005
【図５】
0005417203.tif 000006
【図６】
0005417203.tif 000007
【図７】
0005417203.tif 000008
【図８】
0005417203.tif 000009
【図９】
0005417203.tif 000010
【図１０】
0005417203.tif 000011
【図１１】
0005417203.tif 000012
【図１２】
0005417203.tif 000013
【図１３】
0005417203.tif 000014
【図１４】
0005417203.tif 000015